(57)【要約】【課題】装飾的効果を有しかつタッチペンとしての優れた機能を発揮する、容量式パネル用タッチペンを実現する。【解決手段】硬質の導電性合成樹脂材によってマスコット形状に形成した本体１と、軟質の導電性合成樹脂材もしくは導電性シリコンゴムによって形成したペン先部材２とで構成する。本体１には取付孔３を穿設するとともに、取付孔３に嵌合する取付ピン４を硬質の導電性合成樹脂材もしくは金属で形成する。取付ピン４の一端にペン先部材２を装着し、先端部分が本体１から突出する状態で取付ピン４の基端部を取付孔３に挿入し、取付ピン４及びペン先部材２を、導電性接着剤を用いて本体１の取付孔３に固着する。【選択図】  図２
0003172736.tif 000002
【実用新案登録請求の範囲】
【請求項１】
硬質の導電性合成樹脂材によってマスコット形状に形成した本体と、軟質の導電性合成樹脂材もしくは導電性シリコンゴムによって形成したペン先部材とで構成し、該ペン先部材を前記本体と導電状態であって、一部が本体から突出するように固定したことを特徴とする容量式パネル用タッチペン。
【請求項２】
硬質の導電性合成樹脂材によって形成する本体に取付孔を穿設し、該取付孔に嵌合する取付ピンを硬質の導電性合成樹脂材もしくは金属によって形成し、該取付ピンに軟質の導電性合成樹脂材もしくは導電性シリコンゴムによって形成したペン先部材を装着して取付孔に挿入し、本体とペン先部材と取付ピンを導電性接着剤によって固定したことを特徴とする請求項１記載の容量式パネル用タッチペン。
【請求項３】
本体に携帯用ストラップに対して着脱可能な連結具を設けたことを特徴とする請求項１又は２記載の容量式パネル用タッチペン。
【考案の詳細な説明】
【技術分野】
【０００１】
本考案は、スマートフォンその他タブレット端末における静電容量型座標入力パッド用入力ペン、すなわち容量式パネル用タッチペンの構造に関する考案である。
【背景技術】
【０００２】
スマートフォンその他のタブレット端末の静電容量型入力パットでは、使用者の手指による操作で入力をすることができるが、小さな画面の細かな部分の入力は手指の操作では困難であるため、作業者の持つ手と通電状態を維持する導電体で形成した入力ペンが使用されている。
従来の入力ペンには、特許文献１に開示されるように、棒状の持ち手部分とペン先(接触部)を導電体で形成する思想が知られている。
【先行技術文献】
【特許文献】
【０００３】
【特許文献１】実用新案登録第３１４６４８５号公報
【特許文献２】実用新案登録第３０６９６４３号公報
【考案の概要】
【考案が解決しようとする課題】
【０００４】
特許文献１や特許文献２に記載されたタッチペンは、単に棒状のペンであるため、保管や携行に不便である。特許文献１には、容量式パネルＡに収納槽A2を形成して収納する思想が開示されている。このような棒状のペンでは使用時以外の扱いに不便であるとともに紛失の可能性もある。また、携帯用の端末に利用する場合などに、趣向を凝らすことが困難であり、おもしろみに欠ける欠点があった。
【０００５】
上記従来技術の欠点に鑑み、本考案はタッチペン本体に趣向を凝らした装飾的効果を発揮することができ、かつタッチペンとしての優れた機能を発揮する容量式パネル用タッチペンを提供することを目的とするものである。また、タッチペンそのものを装飾的なものとすることによって、これをストラップに着脱自在としたときに、携帯用ストラップの装飾として機能するとともに、スマートフォンなどのタブレット端末の静電容量型入力パットに入力するために、適宜利用することができる、容量式パネル用タッチペンを提供することを目的とするものである。
【考案の開示】
【課題を解決するための手段】
【０００６】
上記目的を達成する請求項１記載の容量式パネル用タッチペンの考案は、硬質の導電性合成樹脂材によってマスコット形状に形成した本体１と、軟質の導電性合成樹脂材もしくは導電性シリコンゴムによって形成したペン先部材２とで構成する。
このとき、ペン先部材２は、前記本体１と導電状態であって一部が本体１から突出するように固定した構造とする。
【０００７】
請求項２記載の考案は、硬質の導電性合成樹脂材によって形成する本体１に取付孔３を穿設し、この取付孔３に嵌合する取付ピン４を硬質の導電性合成樹脂材もしくは金属によって形成する。そして、取付ピン４に軟質の導電性合成樹脂材もしくは導電性シリコンゴムによって形成したペン先部材２を装着して取付孔３に挿入し、本体１とペン先部材２と取付ピン４を導電性接着剤によって固定することである。
請求項３記載の考案は、本体１に携帯用ストラップ６に対して着脱可能な連結具７を設けることである。
【考案の効果】
【０００８】
請求項１記載の容量式パネル用タッチペンの考案によれば、硬質の導電性合成樹脂材によって本体１を任意のマスコット形状に形成するため、容量式パネル用タッチペンそのものを、使用者の興趣をそそるアクセサリーとして機能させることができる。そして、この本体１とペン先部材２は全体を導電性とすることによってタッチペンとして優れた機能を発揮することができる。
また、本体１は、硬質の合成樹脂材によって成型するため、量産性に優れ、安価に提供することができる。
さらに、本体１を硬質の合成樹脂材によって成型するため、手指で持ったときに安定するとともに、ペン先部材２を軟質の導電性合成樹脂材もしくは導電性シリコンゴムによって形成するため、入力パットすなわち画面を傷つけることがない。
【０００９】
請求項２記載の考案によれば、硬質の導電性合成樹脂材によって形成する本体１と、軟質の導電性合成樹脂材もしくは導電性シリコンゴムによって形成するペン先部材２を、確実な導電状態に一体的に形成することができる。また、比較的腰の弱い軟質の導電性合成樹脂材もしくは導電性シリコンゴムであるペン先部材２を、硬質の導電性合成樹脂材もしくは金属によって形成した取付ピン４に装着することによってしっかりと安定するため、タッチペンとして使い易いものとすることができる。
【００１０】
さらに、本体１とペン先部材２と取付ピン４は、取付孔３内において導電性接着剤５で固定するため、高い接合強度を実現することができる。すなわち、丈夫なものとすることができる。また、全体を確実な導電性の状態に形成することができる効果がある。
【００１１】
請求項３記載の考案によれば、タッチペンそのものを携帯用ストラップの一部である装飾として活用し、必要に応じてストラップから取り外してタッチペンとして使用することができる。
すなわち、スマートフォンなどのタブレット端末に携帯用ストラップの一部として装着しておくことによって、常時タッチペンを携行していつでも使用することができてタッチペンを紛失する虞がない。また、特許文献１に開示されているような、携帯用端末にタッチペンの収容部を形成する必要がない。
【図面の簡単な説明】
【００１２】
【図１】図１は、携帯用ストラップに装着した状態を示す、本考案容量式パネル用タッチペンの正面図、
【図２】図２は、本考案容量式パネル用タッチペンの縦断面図、
【図３】図３は、携帯用端末に携帯用ストラップとして取り付けた状態の正面図、
【図４】図４は、タッチペンとしての使用状態を示す斜視図である。
【考案を実施するための最良の形態】
【００１３】
以下、本考案に係る容量式パネル用タッチペンの実施形態を添付の図面に基づいて説明する。
図１は、携帯用ストラップに装着した、本考案容量式パネル用タッチペンの正面図、図２は、本考案容量式パネル用タッチペンの縦断面図である。
【００１４】
図１に示す実施形態の容量式パネル用タッチペンは、本体１を硬質の導電性合成樹脂材によって成型する。図示例では猫のキャラクタであるマスコット形状に形成している。  この際、図２に示すように本体１の下端部に、下端に開放される段付きの取付孔３を穿設してある。また、本体１の上端部には、携帯用ストラップ６との連結具７を着脱するためのフック杆９の基部をインサート成型している。
【００１５】
本体１は、硬質であって炭素を混入するなどによって導電性とした、公知の導電性合成樹脂材によって成型する。マスコットの顔、図示例では猫の顔の印刷あるいは彩色は、インジェクションプリントとすることによって、成型と同時に完了させるようにするのが好ましい。これによって量産性が向上し、本体１を安価に製造することができる。
【００１６】
本体１に対して導電状態に固定するペン先部材２は、スマートフォンなどの静電容量型入力画面を傷つけることがないように、軟質の導電性合成樹脂材もしくは導電性シリコンゴムによって形成する。軟質合成樹脂材やシリコンゴムにカーボンや金属粉などの良導体を混入して導電体とすることは、一般的に行なわれている。
ペン先部材２の具体的な形状は、先端を略半球状とし、基端部である開放端に内鍔10を形成している。そして、球面部分を入力画面との接触面とすることによって、画面を傷付けず、滑らかに操作することができるようにしている。
【００１７】
図示実施形態においては、ペン先部材２を本体１に導電状態で、しっかりと固定するために取付ピン４を利用する。取付ピン４は良導体である金属もしくは硬質の導電性合成樹脂材によって形成する。取付ピン４は、前記本体１に穿設した取付孔３に嵌入することができる形状とし、一端部の外周面に係合溝11を刻設し、係合溝11にペン先部材２の内鍔10を嵌合させている。この状態で、取付ピン４を取付孔３に挿入すると、係合溝11に嵌合させたペン先部材２の一端が、取付孔３の段８に支受されることになる。
【００１８】
そこで、取付ピン４及びペン先部材２の取付孔３への挿入部分に導電性接着剤５を塗布して一体的に接合する。この接合状態では、接着剤を含めて全てが導電性材料であって密着状態であるため、本体１とペン先部材２がしっかりと固定されるとともに、通電状態が保障される。図２に示す実施形態では、取付ピンの表面に複数の周溝12を刻設して接合強度を向上させている。
【００１９】
以上述べた、容量式パネル用タッチペンは、図１に示すように携帯用ストラップ６の取付環13に対して着脱自在である連結具７によって接続し、図３に示すようにスマートフォンなどの携帯用端末Ａに取付けて、携帯用ストラップとして活用するのが好ましい。  図３に示す実施形態のように、本体１を任意のマスコット形状とすることによって、使用者の興趣をそそる携帯用ストラップを実現することができる。
【００２０】
タッチペンとして使用する場合は、連結具７から容量式パネル用タッチペンを取り外し、図４に示すように本体１部分を手指で持ってペン先部材２で携帯用端末Ａの画面Ｂに取り外した容量式パネル用タッチペンの本体１部分を持って入力を行なう。
【符号の説明】
【００２１】
１…本体、  ２…ペン先部材、  ３…取付孔、  ４…取付ピン、  ５…導電性接着剤、  ６…携帯用ストラップ、  ７…連結具、  ８…段、  ９…フック杆、  10…内鍔、  11…係合溝、  12…周溝、  13…取付環、  Ａ…携帯用端末、  Ｂ…画面。
【図１】
0003172736.tif 000003
【図２】
0003172736.tif 000004
【図３】
0003172736.tif 000005
【図４】
0003172736.tif 000006